(57)【要約】【課題】侵入に手間がかかり侵入盗被害の防止に効果的で安価な補助ロック及び補助ロック付引違いサッシの提供を目的とする。【解決手段】外障子と内障子と補助ロックを備え、外障子召合框は、パネル嵌合溝と、煙り返し片を備え、パネル嵌合溝と煙り返し片との間に内障子召合框側が開口する受け溝を外障子召合框の長手方向にわたって設けてあり、内障子召合框は、パネル嵌合溝を有し、内障子パネル嵌合溝の室外側に、外障子召合框の煙り返し片と噛み合う煙り返し片を備え、外障子召合框の受け溝対向部に台座取付溝を内障子召合框の長手方向にわたって設けてあり、補助ロックは、台座とロック回転子と操作レバーとからなり、台座は内障子召合框の台座取付溝に取り付けてあり、回転子及び操作レバーは台座に軸着してあり、操作レバーの室内側からの操作によりロック回転子が受け溝内に出没自在であることを特徴とする。【選択図】  図１
2005133532.tif 000002
【特許請求の範囲】
【請求項１】
外障子と内障子と補助ロックを備え、外障子召合框は、パネル嵌合溝と、煙り返し片を備え、パネル嵌合溝と煙り返し片との間に内障子召合框側が開口する受け溝を外障子召合框の長手方向にわたって設けてあり、内障子召合框は、パネル嵌合溝を有し、内障子パネル嵌合溝の室外側に、外障子召合框の煙り返し片と噛み合う煙り返し片を備え、外障子召合框の受け溝対向部に台座取付溝を内障子召合框の長手方向にわたって設けてあり、補助ロックは、台座とロック回転子と操作レバーとからなり、台座は内障子召合框の台座取付溝に取り付けてあり、回転子及び操作レバーは台座に軸着してあり、操作レバーの室内側からの操作によりロック回転子が受け溝内に出没自在であることを特徴とする引違いサッシ。
【請求項２】
操作レバーは内障子召合框のパネル嵌合溝の反対側面から突出し、操作レバーの操作によりロック回転子が受け溝内に出没自在であることを特徴とする請求項１記載の引違いサッシ。
【請求項３】
操作レバーは内障子召合框のパネル嵌合溝より室内側でパネル嵌合溝側面から突出し、操作レバーの操作によりロック回転子が受け溝内に出没自在であることを特徴とする請求項１記載の引違いサッシ。
【請求項４】
内障子召合框に、操作レバーを室外側から見えないよう隠蔽するカバー部材を備えたことを特徴とする請求項１〜３のいずれかに記載の引違いサッシ。
【請求項５】
外障子召合框には、受け溝の煙り返し片側にタイト材ホルダー部を設け、タイト材ホルダー部に取り付けたタイト材の先端が内障子召合框の煙り返し片に当接していることを特徴とする請求項４記載の引違いサッシ。
【請求項６】
内障子召合框は、操作レバーを室外側から見えないように隠蔽するカバー部材を備え、パネル嵌合溝の反対側面に外障子召合框側に突出する突片を有し、カバー部材は、内障子召合框への被取付部を有し、カバー部材の被取付部と内障子召合框の突片には、操作レバーが内障子召合框のパネル嵌合溝の反対側面から突出するのを許容する欠如部を設けたことを特徴とする請求項２記載の引違いサッシ。
【請求項７】
内障子召合框は操作レバーが室外側から見えないように隠蔽するカバー部を有し、カバー部には、操作レバーが内障子召合框のパネル嵌合溝の反対側面から突出するのを許容する欠如部を設けたことを特徴とする請求項２記載の引違いサッシ。
【発明の詳細な説明】
【技術分野】
【０００１】
本発明は、建築物の屋内外を仕切る引違いサッシに関し、特にその防犯装置に係る。
【背景技術】
【０００２】
建築物の屋外開口部には、屋内（室内）と屋外（室外）を仕切る引違いサッシを広く採用し、取り付けている。
それは、引違いサッシが広い開口面積を確保出来ることや、我が国の建築方法が柱や梁を主体にした軸組工法を多く採用していること等の理由によると言われている。
【０００３】
しかし、最近ではドアにおいてさえ、ピッキング、サムターンまわし等の極めて荒っぽい侵入盗犯罪が多発していて、引違いサッシはドア以上に防犯対策が困難であり、その対策が急務となっている。
警察庁によると、住宅における侵入盗被害は増加の一途をたどり、発生件数は２００２年で前年比１７％増の約１８万件を数え、１０年前の１．５倍に増えている。
侵入の手口で最も多いのがベランダの窓からであり、侵入盗はサッシのガラスを破って解錠し、侵入している。
財団法人都市防犯研究センターのデータによれば、侵入者が嫌うのは侵入に時間がかかることであり、侵入に２〜５分かかると約７０％が犯行をあきらめるとの報告がある。
【０００４】
窓からの侵入を防ぐ手段として、ガラスを破れないようにした合わせガラスが提案されている。
しかし、防犯性は高いものの高価であり場合によってはサッシ本体よりも高く、市場における採用度は低い。
【０００５】
一方、サッシの錠の面からは例えば、図３３に示すように召合框に取り付けた例えば、クレセント錠５０のような引き寄せ回転錠を１つ取り付けただけでは、ガラスの一部を破り簡単に解錠し侵入されるので、クレセント錠５０の他に下框に補助錠６０（図３２参照）を取り付ける方法を特開２００２−４６７０号公報に開示する。
確かに、クレセント錠１つよりは補助錠を付けた分だけ侵入に時間がかかるものの、それでも侵入時間をかせぐには限界があり対策が不充分であった。
また、クレセント錠を上下に２ヶ所、取り付ける方法も考えられるが、クレセントの回転錠をその都度２ヶ所施錠又は解錠する動作は煩わしさがあり、回転が不完全であれば障子を上下にゆすると解錠してしまう問題もあった。
特開平６−２３５２７３号公報には、内召合框と外召合框との間に施錠具を取り付けたものを開示するが、施錠具の構造が複雑であり、操作摘みが小さいといえども外部から見えるものである。
【０００６】
【特許文献１】特開２００２−４６７０号公報
【特許文献２】特開平６−２３５２７３号公報
【発明の開示】
【発明が解決しようとする課題】
【０００７】
本発明は上記背景に鑑みて、侵入に手間がかかり侵入盗被害の防止に効果的で安価な補助ロック及び補助ロック付引違いサッシの提供を目的とする。
【課題を解決するための手段】
【０００８】
請求項１記載の係る発明は、外障子と内障子と補助ロックを備え、外障子召合框は、パネル嵌合溝と、煙り返し片を備え、パネル嵌合溝と煙り返し片との間に内障子召合框側が開口する受け溝を外障子召合框の長手方向にわたって設けてあり、内障子召合框は、パネル嵌合溝を有し、内障子パネル嵌合溝の室外側に、外障子召合框の煙り返し片と噛み合う煙り返し片を備え、外障子召合框の受け溝対向部に台座取付溝を内障子召合框の長手方向にわたって設けてあり、補助ロックは、台座とロック回転子と操作レバーとからなり、台座は内障子召合框の台座取付溝に取り付けてあり、回転子及び操作レバーは台座に軸着してあり、操作レバーの室内側からの操作によりロック回転子が受け溝内に出没自在であることを特徴とする。
【０００９】
本発明に係る引違いサッシは、例えばベランダ等に取り付ける屋内と屋外とを仕切る引違い戸や引違い窓のような屋外用引違いサッシに適用するのが効果的である。
この種の屋外用引違いサッシにおいては、室内への雨水の浸入、外気の侵入を防止すべく、召合部の気密性及び水密性の確保も重要品質の１つである。
本発明においては、引違いサッシの内障子召合框と外障子召合框の間に相互に噛み合う煙返し片と、水密保持タイト材を介在させると水密性等を確保しつつ、そのような召合部構造に補助ロックを簡単に組み込むことができる引違いサッシを得ることができる。
【００１０】
内障子召合框の召合面から外障子召合框に向けて突出あるいは回転収納する出没自在の回転子を備え、この回転子の回転操作レバーを請求項２記載のように内障子召合框のパネル嵌合溝の反対側側面から突出するように設けたことにより、あるいは、請求項３記載のように内障子召合框のパネル嵌合溝より室内側でパネル嵌合溝側面から突出するように設けたことにより、コンパクトで操作性の良い補助ロックとなる。
上記補助ロックは、台座取付溝を内障子召合框の長手方向にわたって設けたので召合框の任意の高さに取り付けることが可能であり、補助ロックの数も１つに限られず、例えば中央にクレセント錠を取り付け、その上部と下部の位置の２ヶ所に取り付けてもよく、取り付け数は特に限定されない。
一方、外障子召合框を押出形材等にて製作すると、上下方向に連続的な受け溝が容易に形成できるだけでなく、クレセント錠の爪受けのような上下方向の規制がなく、障子を上下にゆすっても干渉物がなく回転子が解錠方向に回ることもない。
【００１１】
請求項４記載の発明は、請求項１〜３のいずれかに記載の発明に合わせて、内障子召合框に、操作レバーを室外側から見えないよう隠蔽するカバー部材を備えたことを特徴とする。
【００１２】
本発明の補助ロックは召合部の任意の高さに取り付けることが出来ることから、この補助ロックが室外から窓ガラス越しに見えないように内障子召合框に沿って操作レバーのカバー部材を備えた点である。
これにより、例えば図３３に示すように侵入者がガラスを破って中央のクレセント錠を解錠しても窓が開かず、次に仮に補助錠６０を下框に取り付けてあると思い、その部分のガラスを破っても窓が開かない。
ところが、図１５及び図３０に示すように、その他の錠（補助ロック）４０が外から見えないので気があせり、予想外に時間もかかり、侵入をあきらめることが期待できる。
従って本発明においては、従来のクレセント錠と組み合わせて取り付けると効果的である。
【００１３】
また、召合部に補助ロックを組み込む構造としては、請求項６に記載の発明にように、内障子召合框には、操作レバーを室外側から見えないように隠蔽するカバー部材を備え、パネル嵌合溝の反対側面に外障子召合框側に突出する突片を有し、カバー部材には、内障子召合框への被取付部を有し、カバー部の被取付部と内障子召合框の突片には、操作レバーが内障子召合框のパネル嵌合溝の反対側面から突出するのを許容する欠如部を設けたり、請求項７に記載の発明のように、内障子召合框には操作レバーが室外側から見えないようにカバー部を備え、カバー部には、操作レバーが内障子召合框のパネル嵌合溝の反対側面から突出するのを許容する欠如部を設けるとよい。
【発明の効果】
【００１４】
本発明の補助ロック（防犯装置）は、内障子召合框の召合面に形成した台座取付溝の任意の位置（高さ）に台座を取り付けて、外障子召合框に向けて回転突出する回転子を取り付け、これに対応する回転子受け溝を外障子召合面に設けることで、補助ロックがコンパクトになり、召合框間の煙返し片と水密保持タイト材で水密性を確保しつつ、容易に防犯効果を高めることができる。
特に、補助ロックが室外から見えないように操作レバーのカバー部（隠蔽部材）を内障子召合框に設けると、侵入者がクレセント錠を解錠しても何故窓が開かないのか分からなくなり侵入をあきらめることが期待できる。
また、カバー部と内障子召合框を分割して、カバー部材側の被取付部と内障子召合框側の突片に、操作レバーが内障子召合框のパネル嵌合溝の反対側面から突出するのを許容する欠如部を設けたり、押出形材等で内障子召合框と一体的にカバー部を形成した場合に、カバー部に操作レバーが内障子召合框のパネル嵌合溝の反対側面から突出するのを許容する欠如部を設けると、内障子召合框に補助ロックを取り付けのが容易になる。
【発明を実施するための最良の形態】
【００１５】
図１６に本発明に係る引違いサッシの例を示す。
建築物の開口部に上枠１１、下枠１２、左右の縦枠１３、１４にて略方形に形成したサッシ枠開口部に外障子３０と内障子２０からなる引違い障子を取り付けている。
召合部略中央にクレセント錠５０を取り付け、その上部及び下部の任意の高さに補助ロック４０を２つ取り付けている。
なお、補助ロックの取り付け数は特に限定されない。
【００１６】
補助ロック４０とクレセント錠５０の取り付け位置関係を図１の横断面及び図２の縦断面図に示す。
外障子は上框３１、下框３２、戸当框３４及び召合框３３にて障子枠を形成し、枠内（パネル嵌合溝）にガラス等のパネル３７等を装着している。
内障子も同様に、上框２１、下框２２、戸当框２４及び召合框２３にて障子枠を形成し、枠内（パネル嵌合溝）にガラス等のパネル２５等を装着している。
なお、ガラス等のパネル２５、３７とパネル嵌合溝２３ｅ、３３ｅとの間は必要に応じてパッキン材等にてシールしている。
【００１７】
クレセント錠５０は操作レバー５２を回転軸５１ａを中心に上方に回転させ、回転係止部５１が図１に示すように外障子召合框３３に取り付けた係止爪５３に引っ掛かり、外障子が内障子側に引き寄せられロックする。
また、図２に示すように、上枠１１と内障子２０、外障子３０の間には障子の外れ止め部材１１ａを上枠側に取り付け、障子を持ち上げてレールから外すことが出来ないようになっている。
また、この障子外れ止め部材は、必ずしも上に備える必要もなく、例えば障子と下枠との間に取り付けてもよい。
【００１８】
補助ロック４０の取り付け構造を図３及び図４に示し、図３が施錠状態であり、図４が解錠状態を示す。
また、施錠状態の内観図を図５に、外観図を図６にそれぞれ示す。
図３及び図４において、（イ）が補助ロックを上部から見た図であり、（ロ）が左側面図で（ハ）が正面図である。
補助ロック４０は、図６に示すように、台座４３をビス等の係止部材４４にて内障子召合框２３の召合面２３ｃに設けた台座取付溝２３ｆに取り付け、この台座の軸受け部４３ａに回転（回動）自在に回転子４１を取り付ける。
このように、台座４３をビス等の係止部材４４にて召合面の台座取付溝に取り付ける構造になっているので、召合面の任意の高さに容易に取り付けることができる。
なお、台座そのものを召合面の上下方向にスライド可能に取り付けて、各家庭で高さを変更できるようにしてもよい。
回転子４１は、図５、図６に示すように内障子召合框２３の側面Ｌ（パネル２５の嵌合溝２３ｅの反対側）側に設けた操作レバー４２とロッド部４２ａにて連結している。
操作レバー４２の取り付け高さも台座の高さに合わせて変更できるように、ロッド部４２ａが上下に移動出来るように召合框に長孔を設けてもよい。
また、図５に示すように内障子召合框のＬ面には、ロック操作レバーが室外（屋外）が窓ガラス越しに見えないように操作レバーのカバー部２３ａを設けるとよい。
この操作レバーのカバー部は、操作レバーを包み込むように略コ字形断面形状になっていて、図７に示すようにカバー部を別体（カバー部材）で形成し、内障子召合框に取り付けても、図９、図１１に示すように内障子召合框２３に一体的に形成してもよい。
なお、補助ロックの組み付け方法については後述する。
このように、操作レバーを操作レバーのカバー部で包み込むように配設すると図１５に示すように、視線をａ、ｂ、ｃの位置にずらしても室外側から見えず、補助ロックがあるか否かが分からない。
このカバー部は、補助ロックの位置を隠蔽するのが目的であり、召合框の上下方向に部分的に設けてもよいが全長にわたって設けるのが効果的である。
また、図１８に示すように、外障子のパネル嵌合溝３３ｅの室内側壁３３ｆを長くしてカバー部２３ａを隠すようにしてもよく、図１９に示すように、外障子召合框の幅をカバー部２３ａが隠れる程度に幅広にしてもよい。
このようにすると、カバー部も室外から見えにくくなる。
なお、不透明系のガラスであればこのカバー部は無くてもよい。
操作レバーはロック操作が容易になるようにワンタッチで開閉出来るようにバネ規制してもよく、レバーの室内側に蛍光塗料等を塗布して夜間に施錠を確認しやすくしてもよい。
【００１９】
次に、補助ロック４０の召合框の取り付け例について説明する。
図７に示すように、カバー部材２３ａを内障子召合框とは別体として形成した場合には、内障子召合框２３に突片２３ｇを形成し、補助ロック４０のロッド部４２ａを呑み込む欠如部ｋ１を形成する。
一方、カバー部材２３ａに被取付部２３ｈを形成して回転子が突出する部分に欠如部ｋ２を形成する。
これにより、内障子召合框の台座取付部にビス等の係止部材４４にて台座を取り付け、回転子４１を欠如部ｋ２に臨ませて、カバー部材２３ａの被取付部２３ｈに形成した取付孔ｄ１にビス等の係止部材２６を挿通して内障子召合框２３側に取り付けることができる（図８参照）。
【００２０】
図９に示すように、内障子召合框を押出形材で製作し、カバー部２３ａを召合框２３に一体的に形成した場合には、カバー部２３ａに操作レバーを組み込む欠如部ｋ３を形成することで、補助ロック装置を召合框に取り付けることができる（図１０参照）。
なお、この場合にはカバー部２３ａの欠如部ｋ３を覆い隠すように欠如部カバー２７を取り付けてもよい。
ここで、欠如部カバー２７にも欠如部ｋ４を形成している。
また、図１１に示すように回転子４１と操作レバー４２をロッド部４２ａで分割すると、カバー部材２３ａの見込み面に欠如部ｋ５を形成することで補助ロックを組み込むことができる（図１２参照）。
【００２１】
施錠状態の構造を図３にて説明すると、ロック回転子４１の突出部４１ｂが外障子召合框３３の召合面に突出し、外障子召合框の受け溝３３ａに係合する。
図６に示すように、ロック操作レバー４２を手前に倒すとロック回転子４１の突出部４１ａが内障子召合面の台座取付溝２３ｆに収納され、ロックを解除する。
なお、外障子側の回転子受け溝３３ａは、図４に示すように外障子召合面に段差状の凹部を形成して設けてもよく、図１３に示すように切り欠き穴３３ｃを形成してもよい。
また図１４に示すように、受け金具３３ｄをビス等で取り付けてもよい。
この場合には、回転子の突出部４１ｂはフック状になる。
【００２２】
内障子と外障子の召合框の位置関係は図３に示すように、障子が閉じた際に内障子召合框煙返し片２３ｂと外障子煙返し片３３ｂが噛み合い、水密保持タイト材３５にてシールする。
なお、図３に示す例では補助タイト材３６も取り付けている。
ここで、煙返し部とタイト材と、補助ロックの位置関係は各種タイプが適用出来、その例を図２０〜図２４に示す。
図２０は図３に示した構造を模式化したものである。
図２１は召合部の水密ラインに対して煙返し部Ｂを室外側に設け、タイト材３５Ｂを室内側に設け、その間に回転子を配設したタイプである。
図２２は図２１とは逆にタイト材３５Ｃを水密ラインに対して室外側にし、煙返し部Ｃを室内側に配設したものである。
図２３は回転子４１の室外側に煙返し部Ｄ及びタイト材３５Ｄを配設したものである。
図２４は回転子４１の室内側にタイト材３５Ｅも煙返し部Ｅも配設した例である。
このように、召合部に水密性・気密性を確保するためにタイト材と煙返し部の配置がいろいろ考えられるが、どのような構造に対しても内障子召合面と外障子召合面の間に簡単に補助ロックを組み込むことができる。
【００２３】
次に他の実施形態として、図２５に示すように内障子召合框２３のパネル嵌合溝２３ｅより室内側（Ｒ）でパネル嵌合溝側面から操作レバー４２を突出させた例について説明する。
この場合の補助ロック４０の取付構造を図２６及び図２７に示し、図２６が施錠状態を示し、図２７が解錠状態を示す。
また、図２８に内観図、図２９に外観図を示す。
補助ロック４０の取付構造としては、台座４３をビス等の係止部材４４にて内障子召合框２３の召合面の台座取付溝２３ｆに取り付ける点では先の実施形態と同じである。
本実施形態は、操作レバー４２の突出位置を内障子召合框のパネル嵌合溝２３ｅ側に設けた点に特徴がある。
この場合には、内障子召合框の内壁やパネル嵌合溝側側壁に欠如部を形成して、操作レバー４２と回転子４１を取り付ける。
また、図３０に示しように内障子パネル嵌合溝より室内側でパネル嵌合溝側面から突出した操作レバー４２を室外側から見えないように隠蔽したカバー部２３ａを形成すると、ａ、ｂ、ｃのいずれからも操作レバーが見えず防犯性が高い。
このような引違いサッシの内観姿図を図３１に示す。
【００２４】
上記のように本発明に係るロック装置は、上下方向の任意の高さに取り付けられることから、仮にクレセント錠を上下に２ヶ所取り付けるよりも、侵入者の意外性をつくことになり防犯性が高く、構造もクレセント錠より明らかに簡単である。
【図面の簡単な説明】
【００２５】
【図１】本発明に係る引違いサッシの横断面図を示す。
【図２】本発明に係る引違いサッシの縦断面図を示す。
【図３】補助ロックの施錠状態を示す。
【図４】補助ロックの解錠状態を示す。
【図５】補助ロックの内観図を示す。
【図６】補助ロックの外観図を示す。
【図７】補助ロックの取り付け図を示す。
【図８】補助ロックの取り付け完成図を示す。
【図９】カバー部材を召合框に一体的に形成した場合の補助ロック取り付け図を示す。
【図１０】補助ロック取付完成図を示す。
【図１１】補助ロックを操作レバーと回転子を分割した場合の取付図を示す。
【図１２】補助ロックの取付完成図を示す。
【図１３】回転子受け部を穴形状にした場合を示す。
【図１４】回転子受け部を受け金具にした例を示す。
【図１５】補助ロックと外部視線の関係を示す。
【図１６】本発明に係るサッシの例を示す。
【図１７】カバー部材がない例を示す。
【図１８】カバー部材の幅に合わせてパネル嵌合部を形成した例を示す。
【図１９】カバー部材の幅に合わせてパネル嵌合部を形成した他の例を示す。
【図２０】補助ロックと召合框の関係を示す。
【図２１】補助ロックと召合框の関係の他の例を示す。
【図２２】補助ロックと召合框の関係の他の例を示す。
【図２３】補助ロックと召合框の関係の他の例を示す。
【図２４】補助ロックと召合框の関係の他の例を示す。
【図２５】操作レバーを内障子パネル嵌合溝室内側側面から突出した例を示す。
【図２６】施錠状態を示す。
【図２７】解錠状態を示す。
【図２８】補助ロック部内観図を示す。
【図２９】補助ロック部外観図を示す。
【図３０】補助ロック部が室外から見えない状態を示す。
【図３１】引違いサッシ内観姿図を示す。
【図３２】従来の補助錠の例を示す。
【図３３】従来の引違いサッシの例を示す。
【符号の説明】
【００２６】
１１    上枠
１１ａ  上枠に取り付けた障子の外れ止め部材
１２    下枠
１３    左縦枠
１４    右縦枠
２０    内障子
２１    内障子上枠
２２    内障子下枠
２３    内障子召合框
２３ａ  操作レバーのカバー部（カバー部材）
２３ｂ  内障子煙返し片
２３ｃ  内障子召合面
２３ｅ  内障子パネル嵌合溝
２３ｆ  台座取付溝
２３ｇ  突片
２３ｈ  カバー部材の被取付部
２４    内障子戸当框
２５    内障子パネル（ガラス）
３０    外障子
３１    外障子上框
３２    外障子下框
３３    外障子召合框
３３ａ  回転子受け溝
３３ｂ  外障子煙返し片
３３ｃ  外障子召合面の切り欠き穴（回転子受け部）
３３ｄ  回転子受け部（受け具）
３３ｅ  外障子パネル嵌合溝
３４    外障子戸当框
３５、３５Ａ、３５Ｂ、３５Ｃ、３５Ｄ、３５Ｅ    タイト材
３６    補助タイト材
３７    外障子パネル（ガラス）
４０    補助ロック
４１    回転子
４１ａ  回転子回転軸
４１ｂ  回転子突出部
４２    操作レバー
４２ａ  操作レバーのロッド部
４３    台座
４３ａ  台座の軸受け部
４４    係止部材
５０    クレセント錠
５１    回転係止部
５１ａ  クレセント回転軸
５２    クレセント錠レバー
５３    クレセント錠係止爪
Ａ、Ｂ、Ｃ、Ｄ    召合部の煙返し部
Ｌ    内障子召合框のパネル嵌合溝の反対側
Ｒ    内障子召合框のパネル（ガラス）嵌合溝側面
【図１】
2005133532.tif 000003
【図２】
2005133532.tif 000004
【図３】
2005133532.tif 000005
【図４】
2005133532.tif 000006
【図５】
2005133532.tif 000007
【図６】
2005133532.tif 000008
【図７】
2005133532.tif 000009
【図８】
2005133532.tif 000010
【図９】
2005133532.tif 000011
【図１０】
2005133532.tif 000012
【図１１】
2005133532.tif 000013
【図１２】
2005133532.tif 000014
【図１３】
2005133532.tif 000015
【図１４】
2005133532.tif 000016
【図１５】
2005133532.tif 000017
【図１６】
2005133532.tif 000018
【図１７】
2005133532.tif 000019
【図１８】
2005133532.tif 000020
【図１９】
2005133532.tif 000021
【図２０】
2005133532.tif 000022
【図２１】
2005133532.tif 000023
【図２２】
2005133532.tif 000024
【図２３】
2005133532.tif 000025
【図２４】
2005133532.tif 000026
【図２５】
2005133532.tif 000027
【図２６】
2005133532.tif 000028
【図２７】
2005133532.tif 000029
【図２８】
2005133532.tif 000030
【図２９】
2005133532.tif 000031
【図３０】
2005133532.tif 000032
【図３１】
2005133532.tif 000033
【図３２】
2005133532.tif 000034
【図３３】
2005133532.tif 000035